(57)【要約】      （修正有）【課題】武士情緒を味わう事のできる傘を提供する。【解決手段】傘１の心棒２の一方の端部に刀の柄形状の把持部３を設け、該心棒２と把持部３との境界に鍔４を設け、骨部５によって広げられる膜６へ武士情緒を高められる箇所として、骨部５で複数に区分された膜６の室９の各々の外側領域の中央へ常出紋７を表示し、膜６の全体にランダムな状態で濡れ出紋８を表示する。カバーに傘１を収納して携帯する。該カバーは傘１を収納する袋部の天地をタスキで繋ぐ。【選択図】図１
0003168461.tif 000002
【実用新案登録請求の範囲】
【請求項１】
傘（１）に於いて、心棒（２）の一方の端部に刀の柄形状の把持部（３）を設け、該心棒（２）と把持部（３）との境界に鍔（４）を設け、骨部（５）によって広げられる膜（６）へ武士情緒を高められる箇所を設けたことを特徴とする武士情緒傘。
【請求項２】
武士情緒を高められる箇所として、骨部（５）で複数に区分された膜（６）の室（９）の各々の外側領域の中央へ常出紋（７）を表示し、膜（６）の全体にランダムな状態で濡れ出紋（８）を表示したことを特徴とする請求項１記載の武士情緒傘。
【考案の詳細な説明】
【技術分野】
【０００１】  本考案は、武士の情緒を楽しむことができるように、把持部に鍔を設け、家紋が膜面に表示されるように工夫した傘に関するものである。
【背景技術】
【０００２】  従来に武士情緒傘そのものは存在しないが、鍔を連想させるストッパーを有した傘、濡れると膜面に絵の浮き出る傘があった。ストッパーは傘をさす場合、親指と人差し指との上にストッパーを乗せて、握る力を軽減させる目的の物であり、把持部の先はＵ字状に湾曲していた。絵の浮き出る傘は濡れ出紋だけ存在しており、濡れなくても常時表示されている常出紋は無かった。浮き出る絵は花柄が主であり、武士の家紋は無かった。
【先行技術文献】
【特許文献】
【０００３】
【実案文献１】
実登３１４０９０２号公報
【実案文献２】
実登３１５９５５５号公報
【考案の概要】
【考案が解決しようとする課題】
【０００４】  武士を象徴する持ち物は刀であり、傘を閉じた状態では刀の模倣形状を成し、開いた状態では家紋が目立ち、傘が濡れることで更に家紋の表示箇所が増え、傘を閉じても開いても武士の情緒を楽しめる傘の提供を課題とする。
【課題を解決するための手段】
【０００５】  心棒の一方の端に刀の柄を模した把持部を設け、該把持部と該心棒との境界に刀の鍔を模した鍔を設け、膜を骨部で複数に区分した室の各々の外側中央へ常出紋を表示し、膜全体へランダムな状態で濡れ出紋を設け、該濡れ出紋は雨などの水に濡れることによって出現し、前記の組み合わせによって武士情緒が高まることを最も主要な特徴とする。
【考案の効果】
【０００６】  刀の柄を模した把持部に鍔を設けたことで、傘を閉じた場合に刀の形状に成り、膜の室各々に常出紋を表示したことで、傘を開いた場合に該常出紋が目立って武士の情緒を味わうことができ、膜全体に濡れ出紋を施したことで、雨で濡れた場合に濡れ出紋が出現するので、武士の情緒を更に高めることができるという相乗効果がある。
【図面の簡単な説明】
【０００７】
【図１】図１は、傘を開いて濡らした状態の斜視図である。（実施例１）
【図２】図２は、傘を閉じた状態の斜視図である。
【図３】図３は、カバーに収納した状態の斜視図である。
【考案を実施するための形態】
【０００８】  傘を開いた状態と閉じた状態の両方で、武士情緒を味わえる傘を実現した。
【実施例１】
【０００９】  図１は、傘を開いて濡らした状態の斜視図であり、傘１全体の基本構造は従来の雨傘と同じにし、図面は説明の便宜上のために白色の傘１で図示しているが、色は限定ではなく、赤色や青色であっても良いが、武士や侍、忍者を連想する色として、傘１全体が黒であることが望ましい。【００１０】  傘１の心棒２の一方の端へ把持部３を設け、該把持部３の長さは武士が使用する刀同様に、両手で持てる長さと太さにし、長手方向と直角の断面形状は、角の丸い矩形であっても楕円形であって良い。該把持部３の取り付け構造は限定ではなく、従来の傘同様の捩じ込み固定でも良いし、把持部３へ心棒２を深く挿入して、固定強度を向上させても良く、固定強度を向上させることで、チャンバラなどの遊戯にも耐えることができる。【００１１】  心棒２と把持部３との境界に鍔４を設ける。該鍔４の形状は限定ではなく、刀の鍔を模倣した物ならば、何であっても良い。把持部３の端に環１０を設けることが望ましい。該環１０の形成方法は限定ではなく、プラスチックや金属であっても良いが、把持部３に紐穴１１を開け、該紐穴１１へ紐を通して紐端を結ぶことで環１０を形成することが望ましい。【００１２】  心棒２の他方の端に石突１２を設け、該石突１２の基部を中心にする放射状に骨部５が並び、該骨部５どうしを繋いで覆う状態で膜６を設け、該膜６に於いて骨部５で区分された領域の各々を室９と称する。【００１３】  膜６の室９の各々の外側領域中央へ常出紋７を一つずつ表示し、常出紋７は常に表示されて消えることは無い。該常出紋７は黒塗りで図示しているが、膜６が黒などの濃い色である場合は、黒を反転させた白抜きにすることが望ましい。【００１４】  常出紋７は各室９に一つずつであるが、雨などの水で濡れることによって出現する濡れ出紋８は、室９ごとの数は限定されないと共に並ぶことはなく、膜６全体にランダムに散らばった状態で有している。【００１５】  該濡れ出紋７は乾いた状態では出現しておらず、濡れることによって出現する構造であり、その濡れ出構造は従来技術を用いるのであり、膜６全体は基本的には撥水加工されており、濡れ出紋７の部分だけは撥水加工がされていないので水が滞り、該滞りによって濡れ出紋７が出現する。【００１６】  図２は、傘を閉じた状態の斜視図であり、傘１を閉じて固定する構造は従来の傘と同じにし、膜６を一方向へ軽く巻いて固定帯１３の巻き付けによって固定をする。【００１７】  刀の柄を模した把持部３に刀の鍔同様の鍔４を有していることから、閉じて固定した状態の傘１全体は武士の刀を連想させるのに充分な形状を成しており、把持部３を剣の構えにして両手で持てば、武士の気分に成り、チャンバラごっこの遊びもできる。【００１８】  把持部３の端に紐穴１１を開けて紐を通して結んだ環１０を有しており、該環１０をフック１４などに引っ掛けることで、閉じた状態の傘１を吊るすことができる。フック１４が壁Ｗにある場合は、鍔４の縁が壁Ｗとの間に隙間を形成し、膜６が壁Ｗと接するのを防止できる。膜６が壁Ｗと接しないことで、膜６の水滴が壁Ｗに付くのを防止できる。【００１９】  図３は、カバーに収納した状態の斜視図であり、傘１を携帯する場合はカバー１５に収納する��造が望ましい。該カバー１５の構造は、傘１を収納する袋部１６の天地にタスキ１７を連接して肩に掛けるようにするのが望ましい。該タスキ１７は繋ぎ目の無い長い帯形状であっても良いが、連結具１８で連結できる構造であることが望ましく、該連結具１８は連結機能の他にタスキ１７の長さを調節できる機能も兼ね備えている。該連結具１８は市販品を用いるのであって、タスキ１７の長さ調節構造も、従来技術を用いる。【００２０】  カバー１５の携帯形状は自由であって良く、把持部３を体の前に出した状態でタスキ１７を肩に掛けても良いが、傘１を背中に回してタスキ１７を前にして肩に掛ける方法が望ましく、傘１を背中に回す携帯方法は忍者スタイルでもあり、忍者情緒を味わうこともできる。
【産業上の利用可能性】
【００２１】  本考案の傘は、チャンバラ遊びや剣道の素振りにも対応できるように耐久性を高めてあるので、杖としての用途にも適用できる。
【符号の説明】
【００２２】  １    傘
２    心棒
３    把持部
４    鍔
５    骨部
６    膜
７    常出紋
８    濡れ出紋
９    室
【図１】
0003168461.tif 000003
【図２】
0003168461.tif 000004
【図３】
0003168461.tif 000005
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
傘（１）に於いて、心棒（２）の一方の端部に刀の柄形状の把持部（３）を設け、該心棒（２）と把持部（３）との境界に鍔（４）を設け、骨部（５）によって広げられる膜（６）を設けたことを特徴とする武士情緒傘。
【請求項２】
骨部（５）で複数に区分された膜（６）の室（９）の各々の外側領域の中央へ、印刷によって常に出現している常出紋（７）を表示し、撥水加工された膜（６）の全体に、ランダムな状態で部分的に撥水加工を施さないことでその部分に水が滞って濡れることで出現する濡れ出紋（８）を表示したことを特徴とする請求項１記載の武士情緒傘。